(57)【要約】【課題】  単眼風の計器装置のバイザーの変形に伴う液晶表示素子の表示ムラを防止することが可能な計器装置を提供するものである。【解決手段】  液晶表示素子６と、この液晶表素子６を取り囲むように設けられる筒状の開口１１を有するバイザー５とを備えた計器装置において、液晶表示素子６を収納するフレーム１３と、液晶表示素子６が露出する開口部１２を備えた見返し７を設け、この見返し７がバイザー５の開口１１の下端部１１ａに当接するとともに、見返し７がフレーム１３に設けた受け部１３ａに当接するものである。【選択図】  図２
2006071331.tif 000002
【特許請求の範囲】
【請求項１】
液晶表示素子と、この液晶表素子を取り囲むように設けられる筒状の開口を有するバイザーとを備えた計器装置において、前記液晶表示素子を収納するフレームと、前記液晶表示素子が露出する開口部を備えた見返しとを設け、この見返しが前記バイザーの開口の下端部に当接するとともに、前記見返しが前記フレームに設けた受け部に当接することを特徴とする計器装置。
【請求項２】
前記見返しに前記バイザーの開口の周囲に当接する当接部を設けたことを特徴とする請求項１記載の計器装置。
【発明の詳細な説明】
【技術分野】
【０００１】
本発明は、例えば自動車などに搭載される計器装置に関し、特に、その液晶表示素子の表示ムラの防止に特徴を有する計器装置に関する。
【背景技術】
【０００２】
従来の計器装置１は、図４、５に示すように、速度計２や回転計３や水温計４などの複数の計器を有していた。このような計器装置１の前面には、立体感を得るために、各計器毎に乗員側へ突出した筒状の開口を有するバイザー５が設けられており、単眼風のメータが提案されている（例えば、特許文献１参照）。
【特許文献１】特開２００３−１２７７０９号公報（図１５）
【発明の開示】
【発明が解決しようとする課題】
【０００３】
従来の計器装置１では、速度計２を備えたバイザー５内に、車両の走行距離などを表示する液晶表示素子６と、この液晶表示素子６の周囲を覆い隠す見返し５ａがバイザー５に一体に設けられている。単眼風のメータでは、各計器毎にバイザー５が設けられているために、バイザー５に計器方向（図５中矢印方向）への力を加えると、バイザー５が変形し、見返し５ａが液晶表示素子６を押しつけて、液晶表示素子６の表示にムラが発生することとなる。
【０００４】
そこで、本発明は、この点に鑑みてなされたもので、その主な目的は、単眼風の計器装置に設けられるバイザーの変形に伴う液晶表示素子の表示ムラを防止することが可能な計器装置を提供するものである。
【課題を解決するための手段】
【０００５】
本発明は前記目的を達成するため、液晶表示素子と、この液晶表素子を取り囲むように設けられる筒状の開口を有するバイザーとを備えた計器装置において、前記液晶表示素子を収納するフレームと、前記液晶表示素子が露出する開口部を備えた見返しとを設け、この見返しが前記バイザーの開口の下端部に当接するとともに、前記見返しが前記フレームに設けた受け部に当接するものである。
【０００６】
また、前記見返しに前記バイザーの開口の周囲に当接する当接部を設けたものである。
【発明の効果】
【０００７】
以上、本発明によれば、初期の目的を達成することができ、単眼風の計器装置に設けられるバイザーの変形に伴う液晶表示素子の表示ムラを防止することが可能な計器装置を提供することができる。
【発明を実施するための最良の形態】
【０００８】
本発明の計器装置１は、液晶表示素子６と、この液晶表素子６を取り囲むように設けられる筒状の開口１１を有するバイザー５とを備えた計器装置において、液晶表示素子６を収納するフレーム１３と、液晶表示素子６が露出する開口部１２を備えた見返し７を設け、この見返し７がバイザー５の開口１１の下端部１１ａに当接するとともに、見返し７がフレーム１３に設けた受け部１３ａに当接するものである。このように構成したことによって、単眼風の計器装置に設けられるバイザーの変形に伴う液晶表示素子の表示ムラを防止することが可能な計器装置を提供することができる。
【０００９】
また、見返し７にバイザー５の開口１１の周囲に当接する当接部７ｃを設けたものである。このように構成したことによって、単眼風の計器装置に設けられるバイザーの変形に伴う液晶表示素子の表示ムラを防止することが可能な計器装置を提供することができる。
【実施例１】
【００１０】
図１〜図３は本発明の第１実施例を示すものである。なお、前記従来例と同一及び相当箇所には同一符号を付して、その詳細な説明は省略する。
【００１１】
本実施例を計器装置１が備える複数の計器の中から速度計２を例にとって説明する。図１に示すように、速度計２は、車両の速度を表す速度計２であり、指針８と文字板９と液晶表示素子６からなる表示器１０とを備えている。なお、バイザー５は、表示器１０を含む速度計２を取り囲むように設けられる筒状の開口１１を備えており、見返し７は、表示器１０が露出する開口部１２を備えている。なお、１３は速度計２や表示器１０を収納するフレームであり、１４はフレーム１３の背後を覆うカバーであり、１５はバイザー５の開口１１の上端部を塞ぐ透明な合成樹脂からなるカバーガラスである。
【００１２】
速度計２は、指針８、文字板９、回路基板１６及び計器本体１７から構成されている。指針２は後述する指針用光源によって発光するものであり、ステッピングモータなどの計器本体１７によって、文字板９上を回転する。
【００１３】
文字板９は指針２の背後（図２中下側）に位置しており、透明な合成樹脂製の機材からなり、その表面には文字板９の目盛や文字などからなる意匠部１８を除いて、遮光性のインクにて印刷形成した地１９が形成されている。なお、地１９の色は黒色である。また、本実施例では意匠部１８は光透過性の白色のインクにて形成されており、後述する文字板用光源によって透過照明される。
【００１４】
文字板９は、この背後に位置する反射体２０によって固定されている。この反射体２０は白色の合成樹脂からなり、タライのような形状で、意匠部１８に対応するように指針２の回転中心を軸とした扇形である。
【００１５】
この反射体２０の背後には、回路基板１６が設けられている。回路基板１６には、表示器１０と計器本体１７が取り付けられている。表示器１０は、液晶表示素子６と、この液晶表示素子６を保持する液晶ホルダ２１と、液晶表示素子６を背後から透過照明する液晶用光源２２とを備えている。なお、２３は、液晶表示素子６と回路基板１６とを接続するフレキシブル配線板である。また、液晶表示素子６は、表示に関係する部分以外を見返し７で覆い隠してある。
【００１６】
また、回路基板１６には、文字板９の意匠部１８に光を供給する文字板用光源２４や、指針８に光を供給する指針用光源２５が設けられている。本実施例では、これらの光源は発光ダイオードである。
【００１７】
計器本体１７は指針軸１７ａを備えており、この指針軸１７ａの先端には指針８が固定され、指針軸１７ａを介して指針８を回転駆動する。
【００１８】
フレーム１３は白色の合成樹脂で短い筒形状であり、速度計２の他に、回転計３、水温計４を収納するものである。フレーム１３の開口の上側で速度計２に対応する部分に、フレーム１３内の速度計２側に突出する壁状の受け部１３ａが形成されている。また、カバー１４も白色の合成樹脂であり、フレーム１３の背後を覆うものである。
【００１９】
見返し７は、本実施例では、黒色の合成樹脂からなり液晶表示素子６が露出する開口部１２を備えた板状の主要部７ａを備えており、さらに、この見返し７には、主要部７ａより一段上に上がった段差部７ｂからなりフレーム１３の受け部１３ａに当接している。また、この段差部７ｂには、段差部７ｂの端部から上側に延び、バイザー５の開口１１の周囲に当接する当接部７ｃを備えている。
【００２０】
なお、見返し７の主要部７ａには、バイザー５の開口１１の下端部１１ａが当接している。
【００２１】
このように構成したことによって、単眼風の計器装置１のバイザー５に押すなどの力を加えたとしても、バイザー５の開口１１の下端部１１ａが見返し７に当接し、さらに、見返し７がフレーム１３の受け部１３ａに当接することによって、バイザー５の変形、特に筒状の開口１１の変形を抑えることが可能となり、液晶表示素子６への接触を防止することで、液晶表示素子６の表示ムラを防止することが可能となる。
【００２２】
また、バイザー５の開口１１の周囲に当接する当接部７ｃを見返し７の段差部７ｂに対して直角に設けたことで、見返し７の剛性を高めることで変形を抑え、バイザー５の変形をより一層抑えることができ、液晶表示素子の表示ムラを防止することが可能となる。なお、見返し７の剛性をさらに向上させるために、段差部７ｂと当接部７ｃとの間にリブなどの補強用の壁を設けても良い。
【００２３】
なお、本実施例では、見返し７の主要部７ａとフレーム１３の受け部１３ａに当接する段差部７ｂとの間に段差を設けたことで、見返し７の剛性を上げることができ、ひいては、バイザー５の変形をより一層抑えることができ、液晶表示素子の表示ムラを防止することが可能となるが、主要部７ａと段差部７ｂとの段差をなくし、平らな板状体であってもよい。
【図面の簡単な説明】
【００２４】
【図１】本発明の第１実施例の計器装置の正面図。
【図２】図１中II−II線の断面図。
【図３】同実施例のバイザーの斜視図。
【図４】従来の計器装置の正面図。
【図５】図３中Ｖ−Ｖ線の断面図。
【符号の説明】
【００２５】
１      計器装置
２      速度計
５      バイザー
６      液晶表示素子
７      見返し
７ａ    主要部
７ｂ    段差部
７ｃ    当接部
１０      表示器
１１      筒状の開口
１２      開口部
１３      フレーム
１３ａ    受け部
【図１】
2006071331.tif 000003
【図２】
2006071331.tif 000004
【図３】
2006071331.tif 000005
【図４】
2006071331.tif 000006
【図５】
2006071331.tif 000007